(57)【要約】【課題】本発明は、従来に比して一段と小型化し得る携帯無線機を実現する。【解決手段】本発明は、ほぼ断面コ字状でなる板状のスライド式アンテナ部１８を筐体１１の周側面に設けられたくぼみ状のアンテナ収納部１６から引き出してアンテナ伸張状態とし、また当該アンテナ収納部１６に押し込んでアンテナ収納状態とするようにしたことにより、筐体１１の内部にスライド式アンテナ部１８を収納するための収納スペースが不要となり、かくして筐体１１を小型化することができる。【選択図】        図２
2004253927.tif 000002
【特許請求の範囲】
【請求項１】
筐体部と、
上記筐体部の外周面に沿って設けられ、アンテナ素子が内部に形成されたほぼ断面コ字状でなるアンテナ部と、
上記アンテナ部と上記筐体部とを接続し、当該アンテナ部をスライド自在に保持するアンテナ保持部と
を具えることを特徴とする携帯無線機。
【請求項２】
上記アンテナ保持部は、
上記アンテナ部を上記筐体部の周側面に沿って外側方向へスライドしたアンテナ伸張状態及び上記筐体部の周側面に沿って内側方向へスライドしたアンテナ収納状態を保持するアンテナ保持手段と、
上記保持手段と兼用した構造でなり、上記筐体部の回路を介して上記アンテナ素子へ給電する給電手段と
を具えることを特徴とする請求項１に記載の携帯無線機。
【請求項３】
上記アンテナ部は、
互いに異なる周波数帯で動作する２つのアンテナ素子が内部に形成され、
上記アンテナ保持部は、
上記２つのアンテナ素子それぞれに対して上記筐体部の回路を介して給電する給電手段を有する
ことを特徴とする請求項１に記載の携帯無線機。
【請求項４】
上記アンテナ部は、
ほぼ同じ周波数帯で動作する２つのアンテナ素子が内部に形成され、
上記アンテナ保持部は、
上記２つのアンテナ素子それぞれに対して上記筐体部の回路を介して給電する給電手段を有する
ことを特徴とする請求項１に記載の携帯無線機。
【請求項５】
上記アンテナ部は、
断面コ字状でなるアンテナ素子が内部に形成され、
上記アンテナ保持部は、
上記アンテナ素子の一端に上記筐体部の回路を介して給電する給電手段と、上記アンテナ素子の他端に上記筐体部の回路を介して接地する接地手段とを有する
ことを特徴とする請求項１に記載の携帯無線機。
【発明の詳細な説明】
【０００１】
【発明の属する技術分野】
本発明は携帯無線機に関し、例えば携帯電話機に適用して好適なものである。
【０００２】
【従来の技術】
従来、携帯電話機においては、携帯性向上のため携帯時にアンテナを携帯電話機の筐体内部へ収納できるようにしたものがある。例えば、図１３に示すように、アンテナ素子を片面に形成した平板状のアンテナ部３が、携帯電話機１の筐体２の内部に設けられた収納用スペースにスライドして収納される携帯電話機１が提案されている（特許文献１参照）。
【０００３】
【特許文献１】
特開平９−６９７１８公報（第４項、第４図）
【０００４】
【発明が解決しようとする課題】
ところでかかる構成の携帯電話機１においては、アンテナ部３を収納するための収納用スペースが携帯電話機１の筐体２の内部に必要となり、近年ますます小型化が要求され、筐体内部の省スペース化が求められる携帯電話機への適用が困難であるという問題があった。
【０００５】
本発明は以上の点を考慮してなされたもので、従来に比して一段と小型化し得る携帯無線機を提案しようとするものである。
【０００６】
【課題を解決するための手段】
かかる課題を解決するために本発明においては、筐体部と、筐体部の外周面に沿って設けられ、アンテナ素子が内部に形成されたほぼ断面コ字状でなるアンテナ部と、アンテナ部と筐体部とを接続し、当該アンテナ部をスライド自在に保持するアンテナ保持部とを設けるようにした。
【０００７】
これにより、アンテナ部が筐体部の外部でスライド自在に保持されるので、筐体部の内部にアンテナ部を収納するための収納スペースを設ける必要がなく、筐体部を一段と小型化することができる。
【０００８】
また本発明においては、アンテナ部を筐体部の周側面に沿って外側方向へスライドしたアンテナ伸張状態及び筐体部の周側面に沿って内側方向へスライドしたアンテナ収納状態を保持するアンテナ保持手段と、筐体部の回路を介してアンテナ素子へ給電する給電手段とをアンテナ保持部に設け、当該アンテナ保持部はアンテナ保持手段と給電手段とを兼用した構造を有するようにした。
【０００９】
これにより、筐体部とアンテナ部の接続構造を簡略化することができるので、筐体部及びアンテナ部を一段と小型化することができる。
【００１０】
【発明の実施の形態】
以下図面について、本発明の一実施の形態を詳述する。
【００１１】
（１）本実施の形態による携帯電話機の全体構成
図１において、１０は全体として本発明を適用した携帯電話機の外観構成を示し、携帯電話機１０の筐体１１は筐体正面１１Ａの横幅と比べて筐体右側面１１Ｂ及び筐体左側面１１Ｃの横幅が狭い薄型直方体形状に形成されており、筐体正面１１Ａには、中央上部に液晶ディスプレイ等でなる表示部１３、当該表示部１３の上方にスピーカ１２がそれぞれ設けられていると共に、中央下部に複数の操作ボタンを有する操作部１４、当該操作部１４の下方にマイクロフォン１５がそれぞれ設けられている。
【００１２】
かかる構成に加えて携帯電話機１０は、筐体右側面１１Ｂ上部、筐体１１上面及び筐体左側面１１Ｃ上部に架けてくぼみ状のアンテナ収納部１６が設けられていると共に、筐体右側面１１Ｂ上部及び筐体左側面１１Ｃ上部にスライド用溝部１７が設けられている。
【００１３】
また携帯電話機１０は、スライド用溝部１７に沿って矢印Ａ方向及び矢印Ｂ方向へスライド可能なほぼ断面コ字状でなる板状のスライド式アンテナ部１８が筐体１１の上端部にアンテナ収納部１６に沿って設けられている。
【００１４】
実際上、携帯電話機１０は、通話時において図２（Ａ）に示すようにスライド式アンテナ部１８をスライド用溝部１７に沿って矢印Ａ方向にスライドさせて引き出すことにより、スライド式アンテナ部１８のほぼ全体を筐体１１から突出させることができ、かくしてアンテナ利得を最大にして良好な送受信感度で通信を行い得るようになされている。尚、このときを携帯電話機１０のアンテナ伸張状態とする。
【００１５】
これに対して、携帯電話機１０は、携帯時において図２（Ｂ）に示すようにスライド式アンテナ部１８をスライド用溝部１７に沿って矢印Ｂ方向にスライドさせて押し込むことにより、スライド式アンテナ部１８をアンテナ収納部１６に収納することができ、かくして筐体１１からスライド式アンテナ部１８が突出することなく、当該スライド式アンテナ部１８の外面を露出するようになされている。
【００１６】
これにより携帯電話機１０は、所定のアンテナ利得を保ちつつ、携帯性やスライド式アンテナ部１８の耐破損性を向上し得るようになされている。尚、このときを携帯電話機１０のアンテナ収納状態とする。
【００１７】
このように携帯電話機１０は、アンテナ伸張状態及びアンテナ収納状態のいずれであっても、スライド式アンテナ部１８全体を筐体１１内部へ完全に収納することはなく、筐体１１の周側面に沿って露出したままの状態でくぼみ状のアンテナ収納部１７に収納するようにしたことにより、アンテナ伸張状態及びアンテナ収納状態のいずれであっても常にスライド式アンテナ部１８を筐体１１の外部でアンテナとして動作させるようになされている。
【００１８】
（２）筐体及びスライド式アンテナ部の構成
次に、筐体１１及びスライド式アンテナ部１８の構成を説明する。図３（Ａ）に示すように筐体１１には、筐体右側面１１Ｂの内側上部に給電スプリングストッパ２０と、筐体左側面１１Ｃの内側上部にスプリングストッパ２１とがそれぞれ設けられている。
【００１９】
この場合の給電スプリングストッパ２０は、図４に示すように金属でなるスプリングストッパ３０と金属でなる給電ばね３１とで構成されており、当該スプリングストッパ３０の一端と当該給電ばね３１の一端とが電気的に接続されている。また給電ばね３１の他端が筐体１１の内部に設けられた基盤２７上の給電点２６と電気的に接続されている。
【００２０】
一方スライド式アンテナ部１８には、図３（Ａ）に示すようにスライド式アンテナ部１８の右側面の裏側下部に伸張状態保持凹部２２Ａと、左側面の裏側下部に伸張状態保持凹部２２Ｂとがそれぞれ設けられていると共に、当該伸張状態保持凹部２２Ａの上方に収納状態保持凹部２３Ａと、当該伸張状態保持凹部２２Ｂの上方に収納状態保持凹部２３Ｂとがそれぞれ設けられている。
【００２１】
またスライド式アンテナ部１８には、図５（Ａ）に示すようにスライド式アンテナ部１８の内部にほぼ断面コ字状でなる板状のアンテナ素子２５が形成されており、さらに図５（Ｂ）に示すように当該アンテナ素子２５の一部がスライド式アンテナ部１８の伸張状態保持凹部２２Ａ及び収納状態保持凹部２３Ａからスライド式アンテナ部１８の外部へわずかに露出するようになされている。尚、アンテナ素子２５は、伸張状態保持凹部２２Ｂ及び収納状態保持凹部２３Ｂからは露出していない。
【００２２】
そしてスライド式アンテナ部１８は、アンテナ伸張状態にあるとき、筐体１１の給電スプリングストッパ２０、スプリングストッパ２１が伸張状態保持凹部２２Ａ、２２Ｂに対してそれぞれ嵌め込まれることによりアンテナ伸張状態を保持することができると共に、このとき伸張状態保持凹部２２Ａから露出したアンテナ素子２５の一部と給電スプリングストッパ２０とが接触することにより、給電点２６とアンテナ素子２５とが給電スプリングストッパ２０を介して電気的に接続され、アンテナ伸張状態時にアンテナ素子２５へ給電できるようになされている。
【００２３】
またスライド式アンテナ部１８は、アンテナ収納状態にあるとき、筐体１１の給電スプリングストッパ２０、スプリングストッパ２１が収納状態保持凹部２３Ａ、２３Ｂに対してそれぞれ嵌め込まれることによりアンテナ収納状態を保持することができると共に、このとき収納状態保持凹部２３Ａから露出したアンテナ素子２５の一部と給電スプリングストッパ２０とが接触することにより、給電点２６とアンテナ素子２５とが給電スプリングストッパ２０を介して電気的に接続され、アンテナ収納状態時にアンテナ素子２５へ給電できるようになされている。
【００２４】
このようにスライド式アンテナ部１８は、伸張状態保持凹部２２Ａ、２２Ｂに対して給電スプリングストッパ２０、スプリングストッパ２１がそれぞれ嵌め込まれたとき、アンテナ伸張状態を保持すると共にアンテナとして動作し、また収納状態保持凹部２３Ａ、２３Ｂに対して給電スプリングストッパ２０、スプリングストッパ２１がそれぞれ嵌め込まれたとき、アンテナ収納状態で保持されると共にアンテナとして動作するようになされている。
【００２５】
このように、スライド式アンテナ部１８は、伸張状態保持凹部２２Ａ、２２Ｂまたは収納状態保持凹部２３Ａ、２３Ｂで定められたアンテナ伸張状態またはアンテナ収納状態で保持されつつアンテナとして動作するようになされている。
【００２６】
また筐体１１とスライド式アンテナ部１８とを接続している筐体１１の給電スプリングストッパ２０及びスライド式アンテナ部１８の伸張状態保持凹部２２Ａ、収納状態保持凹部２３Ａは、スライド式アンテナ部１８のアンテナ伸張状態及びアンテナ収納状態を保持する役割と、スライド式アンテナ部１８に内蔵されたアンテナ素子２５へ給電する役割の両方を兼ねている。
【００２７】
さらにスライド式アンテナ部１８には、図３（Ｂ）に示すようにその両側面の下方に取り外し防止ストッパ２４が設けられており、当該取り外し防止ストッパ２４が筐体１１の両側面上部に引っかかることにより、筐体１１からスライド式アンテナ部１８が取り外されてしまうことを防止するようになされている。
【００２８】
（３）スライド式アンテナ部の動作
次に、スライド式アンテナ部１８の動作について図６及び図７を用いて説明する。図６（Ａ）及び（Ｂ）に示すように、スライド式アンテナ部１８は、ユーザによって矢印Ａ方向へスライド用溝部１７に沿って引き出されることにより筐体１１から伸張したアンテナ伸張状態となる。
【００２９】
このときスライド式アンテナ部１８は、筐体１１からスライド式アンテナ部１８のほぼ全体が突出したアンテナ伸張状態であり、また伸張状態保持凹部２２Ａ、２２Ｂに対して給電スプリングストッパ２０、スプリングストッパ２１がそれぞれ嵌め込まれることによりアンテナ伸張状態を保持すると共に、図８（Ｃ）に示すように、アンテナ素子２５の一端に対して基板２７上の給電点２６から給電されるようになされている。
【００３０】
これによりスライド式アンテナ部１８は、アンテナ利得を最大にして良好な送受信感度で通信を行い得るアンテナとして動作するようになされている。
【００３１】
さらに図６（Ｂ）に示すように、スライド式アンテナ部１８は、その両側面の下方に取り外し防止ストッパ２４が設けられているので、当該取り外し防止ストッパ２４が筐体１１の両側面上部に引っかかることにより、ユーザがアンテナ伸張状態からさらに矢印Ａ方向にスライド式アンテナ部１８を引き出そうとしても、それ以上スライド式アンテナ部１８が筐体１１から引き出されることはない。これによりユーザによって筐体１１からスライド式アンテナ部１８を取り外されることがないようになされている。
【００３２】
続いて、図７（Ａ）及び（Ｂ）に示すように、スライド式アンテナ部１８は、ユーザによって矢印Ｂ方向へスライド用溝部１７に沿って押し込まれることにより筐体１１のアンテナ収納部１６に収納されたアンテナ収納状態となる。
【００３３】
このときスライド式アンテナ部１８は、筐体１１の表面からスライド式アンテナ部１８が突出することは無いが、スライド式アンテナ部１８の外面が筐体１１から露出した状態であり、また収納状態保持凹部２３Ａ、２３Ｂに対して給電スプリングストッパ２０、スプリングストッパ２１がそれぞれ嵌め込まれることによりアンテナ収納状態が保持されると共に、図７（Ｃ）に示すように、アンテナ素子２５の一端に対して基板２７上の給電点２６から給電されるようになされている。
【００３４】
これによりスライド式アンテナ部１８は、アンテナ収納状態においても外面が筐体１１から露出しているので、アンテナ伸張状態のアンテナ利得とそれほど変わらないアンテナ利得を得ることができ、かくして良好な送受信感度で通信を行い得るアンテナとして動作する。
【００３５】
（４）動作及び効果
以上の構成において携帯電話機１０は、ほぼ断面コ字状でなる板状のスライド式アンテナ部１８が筐体１１の周側面に設けられたくぼみ状のアンテナ収納部１６に対して押し込まれて収納される。これにより、携帯電話機１０は、従来のように筐体１１の内部に対してスライド式アンテナ部１８を収納するための収納スペースを設ける必要がなく、この結果、筐体１１を一段と小型化することができる。
【００３６】
このとき携帯電話機１０は、アンテナ伸張状態及びアンテナ収納状態のいずれであってもスライド式アンテナ部１８が筐体１１外部で動作するので、アンテナ伸張状態及びアンテナ収納状態のいずれであってもアンテナ特性が劣化しないようになされている。かくして携帯電話機１０は、筐体１１内部を省スペース化することができると共に、アンテナ伸張状態とアンテナ収納状態とのアンテナ利得差が少なく、いずれの状態であっても良好な送受信感度で通信を行うことができる。
【００３７】
また携帯電話機１０は、給電動作とストッパ機能を兼用させた給電スプリングストッパ２０及び伸張状態保持凹部２２Ａ、収納状態保持凹部２３Ａを用いてスライド式アンテナ部１８のアンテナ伸張状態及びアンテナ収納状態を保持すると共に、アンテナ素子２５へ給電するようにしたことにより、筐体１１とスライド式アンテナ部１８との接続構造を簡略化することができ、かくして筐体１１及びスライド式アンテナ部１８を一段と小型化することができる。
【００３８】
以上の構成によれば、携帯電話機１０は、スライド式アンテナ部１８がアンテナ伸張状態及びアンテナ収納状態のいずれであってもスライド式アンテナ部１８を筐体１１の外部に位置させるので、筐体１１の内部にスライド式アンテナ部１８を収納するための収納スペースを必要とせず、またアンテナ伸張状態及びアンテナ収納状態のいずれであってもアンテナ利得を高くすることができる。
【００３９】
この結果、携帯電話機１０は、全体を小型化できると共に、アンテナ伸張状態及びアンテナ収納状態におけるアンテナ特性の変化が少ない良好な送受信感度で通信を行うことができる。
【００４０】
また携帯電話機１０は、給電スプリングストッパ２０及び伸張状態保持凹部２２Ａ、収納状態保持凹部２３Ａが、スライド式アンテナ部１８のアンテナ伸張状態及びアンテナ収納状態を保持する役割と、アンテナ素子２５へ給電する役割の両方を兼ねるので、筐体１１とスライド式アンテナ部１８との接続構造を簡略化することができ、かくして筐体１１及びスライド式アンテナ部１８を一段と小型化することができる。
【００４１】
（５）他の実施の形態
なお上述の実施の形態においては、スライド式アンテナ部１８にほぼ断面コ字状でなる板状のアンテナ素子２５を内蔵するようにした場合について述べたが、本発明はこれに限らず、図８（Ａ）に示すように、メアンダ状のアンテナ素子４０や、図８（Ｂ）に示すように螺旋状のヘリカルアンテナでなるアンテナ素子４１、また図８（Ｃ）に示すようにメアンダ状のアンテナ素子とほぼ断面コ字状でなる棒状のアンテナ素子とを組み合わせたアンテナ素子４２等、その他種々のアンテナ素子を内蔵するようにしてもよい。
【００４２】
さらに上述の実施の形態においては、スライド式アンテナ部１８にほぼ断面コ字状でなる板状のアンテナ素子２５を内蔵するようにした場合について述べたが、本発明はこれに限らず、図９に示すようにスライド式アンテナ部１８に互いに異なる周波数帯またはほぼ同じ周波数帯で動作する２種類のアンテナ素子５０、５１を内蔵するようにしてもよい。
【００４３】
この場合、筐体左側面１１Ｃの内側上部に設けられていたスプリングストッパ２１の代わりに給電スプリングストッパ５２を設けると共に、基板２７上に給電点５３を設け、伸張状態保持凹部２２Ａ及び収納状態保持凹部２３Ａから露出したアンテナ素子５０に給電スプリングストッパ２０を介して基板２７上に設けられた給電点２６から給電するとともに、伸張状態保持凹部２３Ｂ及び収納状態保持凹部２３Ｂからアンテナ素子５１を露出させ、当該アンテナ素子５１に給電スプリングストッパ５２を介して基板２７上に設けられた給電点５３から給電することにより、アンテナ素子５０、５１をそれぞれアンテナとして動作させることができる。
【００４４】
これにより携帯電話機１０は、当該アンテナ素子５０、５１が互いに異なる周波数帯で動作する場合には２周波アンテナとして動作させることができ、またアンテナ素子５０、５１がそれぞれほぼ同じ周波数帯で動作する場合にはダイバーシティアンテナとして動作させることができる。
【００４５】
また上述の実施の形態においては、ほぼ断面コ字状でなる板状のアンテナ素子２５の一端に給電して当該アンテナ素子２５をアンテナとして動作させるよう述べたが、本発明はこれに限らず、図１０に示すように、ほぼ断面コ字状でなる板状のアンテナ素子２５の一端に給電するとともに、他端を接地してループアンテナとして動作させるようにしてもよい。
【００４６】
この場合、スプリングストッパ２１の代わりに給電スプリングストッパ２０と同構造の接地スプリングストッパ５４を設けると共に、基板２７上にＧＮＤ５５を設け、伸張状態保持凹部２２Ｂ及び収納状態保持凹部２３Ｂからアンテナ素子２５の他端を露出させ、当該アンテナ素子２５の他端を接地スプリングストッパ５４を介して基板２７上に設けられたＧＮＤ５５と接続することにより、アンテナ素子２５をループアンテナとして動作させることができる。
【００４７】
さらに上述の実施の形態においては、ほぼ断面コ字状でなる板状のスライド式アンテナ部１８を用いるようにした場合について述べたが、本発明はこれに限らず、筐体１１の外周面に沿った形状であれば図１１（Ａ）及び（Ｂ）に示すような引出型のスライド式アンテナ部６０等、他の種々の形状をしたスライド式アンテナ部を用いてもよい。
【００４８】
この場合、例えば図１２（Ａ）に示すように、引出型のスライド式アンテナ部６０の壁面の内部に板状のアンテナ素子６１を形成したり、また図１２（Ｂ）に示すように、スライド式アンテナ部６０の壁面及び底面の内部にメアンダ状のアンテナ素子６２を形成するようにしてもよい。
【００４９】
さらに上述の実施の形態においては、ほぼ断面コ字状でなる板状のスライド式アンテナ部１８を筐体１１の上端部に設けるようににした場合について述べたが、本発明はこれに限らず、下端部や側端部等に設けるようにしてもよい。
【００５０】
さらに上述の実施の形態においては、携帯無線機として表示部１３と操作部１４とが筐体１１に設けられた携帯電話機１０に本発明を適用した場合について述べたが、本発明はこれに限らず、表示部と操作部とが別々の筐体に設けられた折りたたみ式の携帯電話機や、パーソナルコンピュータのＰＣカードスロットに挿着する無線ＬＡＮカード等、その他種々の携帯無線機に適用してもよい。
【００５１】
さらに上述の実施の形態においては、筐体１１にアンテナ保持部として給電スプリングストッパ２０及びスプリングストッパ２１を設け、スライド式アンテナ部１８に伸張状態保持凹部２２Ａ、２２Ｂ及び収納状態保持凹部２３Ａ、２３Ｂを設けるようにした場合について述べたが、本発明はこれに限らず、スライド式アンテナ部１８にストッパを設け、筐体１１に当該ストッパに対する凹部を設けるようにしてもよい。
【００５２】
さらに上述の実施の形態においては、スライド式アンテナ部１８に伸張状態保持凹部２２Ａ、２２Ｂ及び収納状態保持凹部２３Ａ、２３Ｂを設けるようにした場合について述べたが、本発明はこれに限らず、伸張状態保持凹部２２Ａ、２２Ｂと収納状態保持凹部２３Ａ、２３Ｂとの間にさらに中間状態保持凹部を設けるようにしてもよく、この場合、スライド式アンテナ部１８は、アンテナ伸張状態及びアンテナ収納状態で保持されるだけでなく、さらにその中間の状態で保持される。
【００５３】
さらに上述の実施の形態においては、スライド式アンテナ部１８の内部にアンテナ素子２５を設けるようにした場合について述べたが、本発明はこれに限らず、アンテナ素子２５をスライド式アンテナ部１８の内部に設けるのではなく、アンテナ素子２５をスライド式アンテナ部１８の内周面全体から露出させて設けるようにしてもよい。
【００５４】
この場合、携帯電話機１０は、スライド式アンテナ部１８がアンテナ伸張状態からアンテナ収納状態、またはアンテナ収納状態からアンテナ伸張状態へスライドしている状態であっても、常にアンテナ素子２５と給電スプリングストッパ２０とを電気的に接続させてアンテナとして動作させることができるので、かくしてアンテナ伸張状態時及びアンテナ収納状態時だけでなく、いずれの状態であっても常にスライド式アンテナ部１８をアンテナとして動作させることができる。
【００５５】
【発明の効果】
上述のように本発明によれば、アンテナ部が筐体部の外部でスライド自在に保持されるので、筐体部の内部にアンテナ部を収納するための収納スペースを設ける必要がなく、筐体部を一段と小型化することができ、かくして一段と小型化し得る携帯電話機を実現できる。
【００５６】
また本発明によれば、筐体部とアンテナ部の接続構造を簡略化することができるので、筐体部及びアンテナ部を一段と小型化することができ、かくして一段と小型化し得る携帯電話機を実現できる。
【図面の簡単な説明】
【図１】本発明による携帯電話機の外観構成（１）を示す略線図である。
【図２】携帯電話機の外観構成（２）を示す略線図である。
【図３】筐体及びスライド式アンテナ部の構成（アンテナ伸張状態）を示す略線図である。
【図４】給電スプリングストッパの構成を示す略線図である。
【図５】スライド式アンテナ部の構成を示す略線図である。
【図６】スライド式アンテナ部の動作（アンテナ伸張状態）を示す略線図である。
【図７】スライド式アンテナ部の動作（アンテナ収納状態）を示す略線図である。
【図８】他の実施の形態におけるアンテナ素子の形状を示す略線図である。
【図９】他の実施の形態における筐体及びスライド式アンテナ部の構成（１）を示す略線図である。
【図１０】他の実施の形態における筐体及びスライド式アンテナ部の構成（２）を示す略線図である。
【図１１】他の実施の形態における引出型のスライド式アンテナ部の外観構成を示す略線図である。
【図１２】他の実施の形態における引出型のスライド式アンテナ部に内蔵されるアンテナ素子の形状を示す略線図である。
【図１３】従来の携帯電話機の外観構成を示す略線図である。
【符号の説明】
１０……携帯電話機、１１……筐体、１１Ａ……筐体正面、１１Ｂ……筐体右側面、１１Ｃ……筐体左側面、１１Ｄ……筐体背面、１６……アンテナ収納部、１７……スライド用溝部、１８……スライド式アンテナ部、２０……給電スプリングストッパ、２１、３０……スプリングストッパ、２２Ａ、２２Ｂ……伸張状態保持凹部、２３Ａ、２３Ｂ……収納状態保持凹部、２４……取り外し防止ストッパ、２５……アンテナ素子、２６……給電点、２７……基板、３１……給電ばね。
【図１】
2004253927.tif 000003
【図２】
2004253927.tif 000004
【図３】
2004253927.tif 000005
【図４】
2004253927.tif 000006
【図５】
2004253927.tif 000007
【図６】
2004253927.tif 000008
【図７】
2004253927.tif 000009
【図８】
2004253927.tif 000010
【図９】
2004253927.tif 000011
【図１０】
2004253927.tif 000012
【図１１】
2004253927.tif 000013
【図１２】
2004253927.tif 000014
【図１３】
2004253927.tif 000015